(57)【要約】      （修正有）【課題】ケーブルマネージメントフレームのケーブルサポート装置を提供する。【解決手段】ケーブルマネージメントフレームのケーブルサポート装置１２は受入れ台１４、嵌合部品１６を備え、受入れ台１４は固定部１８、受入れ部２０、フック部２２を備え、受入れ部２０は第一側壁２４、第二側壁２６、底壁２８を備え、底壁２８は第一側壁２４と第二側壁２６との間に延伸して連接し、第一側壁２４には固定部１８を固定して接続し、且つ第一側壁２４は可動接続ブロック３０を備え、可動接続ブロック３０には第一可動接続部３２を設置し、第一可動接続部３２には定位パーツ３４を設置し、第二側壁２６はフック部２２を固定して接続し、嵌合部品１６は第二可動接続部３６、嵌合部３８を備え、第二可動接続部３６は第一可動接続部３２に対応して可動状に接続し、且つ第二可動接続部３６周囲には係合固定パーツ４０を設置し、定位パーツ３４に対応し、嵌合部３８は嵌合時に、受入れ台１４のフック部２２に対応して嵌合される。【選択図】図２
0003180813.tif 000002
【実用新案登録請求の範囲】
【請求項１】
受入れ台、嵌合部品を備える、ケーブルマネージメントフレームのケーブルサポート装置であって、
前記受入れ台は固定部、受入れ部、フック部を備え、前記受入れ部は第一側壁、第二側壁、底壁を備え、前記底壁は前記第一側壁と前記第二側壁との間に延伸して連接し、前記第一側壁には固定部を固定して接続し、しかも前記第一側壁は可動接続ブロックを備え、前記可動接続ブロックには第一可動接続部を設置し、前記第一可動接続部周囲のブロック体には定位パーツを設置し、前記第二側壁には、フック部を固定して接続し、
前記嵌合部品は第二可動接続部及び嵌合部を備え、前記第二可動接続部は前記受入れ台の第一可動接続部に対応して可動状に接続し、しかも前記第二可動接続部周囲には係合固定パーツを設置し、前記可動接続ブロックの定位パーツに対応し、相互に係合され、前記嵌合部は嵌合時に、前記受入れ台のフック部に対応して嵌合されることを特徴とするケーブルマネージメントフレームのケーブルサポート装置。
【請求項２】
前記受入れ部の可動接続ブロックの第一可動接続部は前記第一側壁の上方に位置し、これにより、前記嵌合部品は、開いた時に、前記第一側壁の上方に対応して直立することを特徴とする請求項１に記載のケーブルマネージメントフレームのケーブルサポート装置。
【請求項３】
前記受入れ台の可動接続ブロックの第一可動接続部と前記嵌合部品の第二可動接続部とはそれぞれ孔と凸軸の形態で設置し、相互に嵌合して可動状に接続することを特徴とする請求項１に記載のケーブルマネージメントフレームのケーブルサポート装置。
【請求項４】
前記受入れ台の可動接続ブロックの定位パーツは、陥没状形態に設置し、前記嵌合部品の第二可動接続部の係合固定パーツは突出体の形態に設置することを特徴とする請求項１に記載のケーブルマネージメントフレームのケーブルサポート装置。
【請求項５】
前記可動接続ブロックはさらに、第一凹口を備え、前記第一凹口により、前記嵌合部品の嵌合部が、前記受入れ台のフック部に対応して嵌合する時、前記係合固定パーツは、前記第一凹口に進入することを特徴とする請求項１に記載のケーブルマネージメントフレームのケーブルサポート装置。
【請求項６】
前記可動接続ブロックはさらに、第二凹口を備え、前記嵌合部品を受入れ台に相対させて組合せる時には、前記嵌合部品の第二可動接続部は、前記第二凹口を経由して、前記受入れ台の可動接続ブロックの第一可動接続部に進入して嵌められることを特徴とする請求項１に記載のケーブルマネージメントフレームのケーブルサポート装置。
【請求項７】
前記フック部は逆フック状であることを特徴とする請求項１に記載のケーブルマネージメントフレームのケーブルサポート装置。
【請求項８】
前記嵌合部品の嵌合部は前記フック部に対応し、逆フック状を呈することを特徴とする請求項７に記載のケーブルマネージメントフレームのケーブルサポート装置。
【請求項９】
前記嵌合部品の嵌合部は斜面を備え、前記フック部に対応することを特徴とする請求項８に記載のケーブルマネージメントフレームのケーブルサポート装置。
【請求項１０】
前記受入れ台のフック部は斜面を備え、前記嵌合部に対応することを特徴とする請求項９に記載のケーブルマネージメントフレームのケーブルサポート装置。
【考案の詳細な説明】
【技術分野】
【０００１】
本考案はケーブルマネージメントフレームのケーブルサポート装置に関し、特にケーブルをケーブルマネージメントフレームに迅速に収容して嵌合し、或いは取外すことができるケーブルマネージメントフレームのケーブルサポート装置に関する。
【背景技術】
【０００２】
Doerr氏等が考案した特許文献１の「Reversible cable support arm」は、同文献１の図２〜１１に示すように、ケーブルサポートアーム（cable support arm 24）を、ガイドレール（rails 108）に設置する。ケーブルサポートアーム（cable support arm 24）には、複数のケーブルサポートパーツ(cable  support  features 48)を設置する。ケーブルサポートパーツ(cable support features 48)は、金属線を湾曲させてＵ型とし、しかもU型の片側線体を、ケーブルサポートアーム（cable support arm 24）に固定する。これにより、Ｕ型の反対側線体は、Ｕ型の水平セクションとＬ型を呈し、こうしてケーブルを収容しサポートすることができる。
【０００３】
しかし、前記のケーブルサポートアーム（cable support arm 24）のケーブルサポートパーツ(cable support features 48)は、上方へと開放したフック状を呈するため、ケーブルを素早く収容することはできるが、ケーブルは上方の開放空間から外れ易い。
【０００４】
ケーブルサポートアーム（cable support arm 24）の使用時、その両端は、引き伸ばされ、或いは湾曲してほぼ重なっている。そのため、その上に収容されるケーブルも、それに従い、伸びたり、湾曲したりする。つまり、ケーブルも、ケーブルサポートパーツ(cable support features 48)上において移動或いは変形してしまうため、当然、ケーブルサポートパーツ(cable support features 48)上方の開放空間から簡単に脱落してしまう。よって、より良い設計を開発し、この問題を解決しなければならない。
本考案は、従来のケーブルマネージメントフレームのケーブルサポート装置の上記した欠点に鑑みてなされたものである。
【先行技術文献】
【特許文献】
【０００５】
【特許文献１】米国特許第７，４７３，８４６号明細書
【考案の概要】
【考案が解決しようとする課題】
【０００６】
本考案が解決しようとする課題は、ケーブルマネージメントフレームの操作において、ケーブルがケーブルサポートパーツ(cable support features 48など)から脱落し易いという問題を解決し、操作の利便性を高め、ケーブルの脱落を防止できるケーブルマネージメントフレームのケーブルサポート装置を提供することである。
【課題を解決するための手段】
【０００７】
上記課題を解決するために、本考案は下記のケーブルマネージメントフレームのケーブルサポート装置を提供する。
ケーブルマネージメントフレームのケーブルサポート装置は、受入れ台及び嵌合部品を備え、
該受入れ台は、固定部、受入れ部、フック部を備え、該受入れ部は、第一側壁、第二側壁、底壁を備え、該底壁は、該第一側壁と該第二側壁との間に延伸して連接し、
該第一側壁には、固定部を固定して接続し、しかも該第一側壁は、可動接続ブロックを備え、該可動接続ブロックには、第一可動接続部を設置し、該第一可動接続部周囲のブロック体には、定位パーツを設置し、
該第二側壁には、フック部を固定して接続し、
該嵌合部品は、第二可動接続部及び嵌合部を備え、該第二可動接続部は、該受入れ台の第一可動接続部に対応して可動状に接続し、しかも該第二可動接続部周囲には、係合固定パーツを設置し、該可動接続ブロックの定位パーツに対応し、該嵌合部は嵌合時に、該受入れ台のフック部に対応して嵌合され、
該受入れ部の可動接続ブロックの第一可動接続部は、該第一側壁の上方に位置し、これにより該嵌合部品は、開いた時に、該第一側壁の上方に対応して直立し、
該受入れ台の可動接続ブロックの第一可動接続部と該嵌合部品の第二可動接続部とは、それぞれ孔と凸軸の形態で設置し、相互に嵌合して可動状に接続し、
該受入れ台の可動接続ブロックの定位パーツは、陥没状形態に設置し、該嵌合部品の第二可動接続部の係合固定パーツは、突出体の形態に設置し、
該可動接続ブロックはさらに、第一凹口を備え、該第一凹口により、該嵌合部品の嵌合部が、該受入れ台のフック部に対応して嵌合する時、該係合固定パーツは、該第一凹口に進入し、
該可動接続ブロックはさらに、第二凹口を備え、該嵌合部品を受入れ台に相対させて組合せる時には、該嵌合部品の第二可動接続部は、該第二凹口を経由して、該受入れ台の可動接続ブロックの第一可動接続部に進入して嵌められ、
該フック部は、逆フック状で、
該嵌合部品の嵌合部は、該フック部に対応し、逆フック状を呈し、
該嵌合部品の嵌合部は、斜面を備え、該フック部に対応し、
該受入れ台のフック部は、斜面を備え、該嵌合部に対応し、
これにより、該嵌合部品が、該受入れ台に係合して定位されると、該嵌合部品の嵌合部は、該受入れ台のフック部に対応して嵌合され、同時に、該嵌合部品の係合固定パーツは、該受入れ台の第一凹口に進入して嵌められ、
使用者が、該ケーブルを取り外すために、ケーブルサポート装置を開く時には、ケーブルサポート装置の第二側壁を軽く押すと、該受入れ台の第二側壁は、該第一側壁へと弾性で変形し、該第二側壁上のフック部は、該嵌合部品の嵌合部を離脱し、この時、該嵌合部品を捲りあげることができ、該嵌合部品の係合固定パーツは、該第一凹口から脱出し、定位パーツを嵌合し、しかも該嵌合部品は直立し一時的に定位されるため、使用者がケーブルをケーブルサポート装置に入れ、或いは内部から取り出すのに便利で、さらに該嵌合部品は直立して一時的に定位されるため、ケーブルの出し入れを邪魔せず、スムーズに操作することができる。
【考案の効果】
【０００８】
本考案のケーブルマネージメントフレームのケーブルサポート装置は、ケーブルがケーブルサポート装置から脱落し易いという問題を解決し、操作の利便性を高め、ケーブルの脱落を防止することができるという効果を奏する。
【図面の簡単な説明】
【０００９】
【図１】本考案の実施例をケーブルマネージメントフレームに使用される様子の配置模式図である。
【図２】本考案の実施例のケーブルサポート装置の立体分解図である。
【図３】本考案の実施例のケーブルサポート装置の組合せ図である。
【図４】本考案の実施例のケーブルサポート装置の操作模式図（１）で、嵌合部品を受入れ台に係合して定位する様子を示す模式図である。
【図５】本考案の実施例のケーブルサポート装置の操作模式図(２)で、本考案の実施例の嵌合部品が固定を解除され開かれて、受入れ台の第一側壁に直立する様子を示す模式図である。
【考案を実施するための形態】
【００１０】
以下に図面を参照しながら本考案を実施するための最良の形態について詳述する。
【００１１】
本考案の実施例のケーブルマネージメントフレームのケーブルサポート装置は、図１〜３に示す。図１は、本考案の実施例をケーブルマネージメントフレームに応用する様子の配置模式図で、図２は、本考案ケーブルサポート装置の主要構成部材の立体分解図で、図３は、本考案の実施例のケーブルサポート装置の組合せ図である。
【００１２】
図１に示すように、本考案の実施例のケーブルマネージメントフレーム10は、複数のケーブルサポート装置12を備え、これによりケーブル（図示せず）を整理する。
【００１３】
ケーブルサポート装置12は、受入れ台14、及び受入れ台14を可動状に接続する嵌合部品16を備える(図２と図３参照)。
【００１４】
受入れ台14は、固定部18、受入れ部20、フック部22を備える。受入れ部20は、第一側壁24、第二側壁26、底壁28を備え、底壁28は第一側壁24と第二側壁26との間に延伸して連接する。底壁28、第一側壁24及び第二側壁26は、U形主体を共同で定義する。
【００１５】
第一側壁24には、固定部18を固定して接続し、例えば、固定部18は、第一側壁24から延伸する。実施例中では、第一側壁24は、可動接続ブロック30を備え、可動接続ブロック30には、第一可動接続部32を設置し、例えば、第一可動接続部32は、孔の形態で設置する。第一可動接続部32周囲のブロック体には、定位パーツ34を設置し、例えば、定位パーツ34は、陥没の形態で設置する。
【００１６】
第二側壁26には、フック部22を固定して設置し、好ましくは、フック部22は、第二側壁26から延伸する。受入れ部20は、U形主体を構成するため、第二側壁26は、第一側壁24に相対して弾性を備え、これにより第二側壁26上のフック部22は、第一側壁24に相対し、弾性の方式で相対位置を変えることができる。
【００１７】
嵌合部品16は、第二可動接続部36及び嵌合部38を備え、第二可動接続部36は、凸軸の形態で設置する。第二可動接続部36は、受入れ台14の第一可動接続部32を嵌めて、可動状に接続し、しかも第二可動接続部36周囲には、係合固定パーツ40を設置する。例えば、係合固定パーツ40は、突出体の形態で、可動接続ブロック30の定位パーツ34に対応し、相互に係合される。嵌合部38は嵌合時に、受入れ台14のフック部22に対応して嵌合される。
【００１８】
受入れ部20の可動接続ブロック30の第一可動接続部32は、第一側壁24の延伸上方に位置し、これにより嵌合部品16は、開いた時に、第一側壁24の上方に対応して直立する。
【００１９】
可動接続ブロック30はさらに、第一凹口42及び第二凹口44を備える。第一凹口42により、嵌合部品16の嵌合部38が、受入れ台14のフック部22に対応して嵌合する時、係合固定パーツ40は、第一凹口42に進入する。これにより、嵌合部品16の、受入れ台14に相対する可動接続状態は、開かれて容易に脱落することがない。或いは、第二凹口44により、嵌合部品16を受入れ台14に相対させて組合せる時には、嵌合部品16の第二可動接続部36は便利に第二凹口44を経由し、受入れ台14の可動接続ブロック30の第一可動接続部32に進入して嵌められる。
【００２０】
フック部22は、逆フック状である。嵌合部品16の嵌合部38は、フック部22に対応し、逆フック状を呈する。嵌合部品16の嵌合部38は、斜面46を備え、フック部22に対応する。受入れ台14のフック部22は、斜面48を備え、嵌合部38に対応する。
【００２１】
実施操作時には、嵌合部品16を、受入れ台14に係合して定位する様子を示す本考案の実施例のケーブルサポート装置12の操作模式図(１)である図４に示すように、嵌合部品16の嵌合部38が受入れ台14のフック部22に対応し、嵌って固定される時には、嵌合部品16の係合固定パーツ40は、第一凹口42に進入する。これにより、嵌合部品16の、受入れ台14に相対する可動接続状態は、開かれて容易に脱落することがない。
【００２２】
本考案の実施例の嵌合部品16が固定を解除され開かれて、受入れ台14の第一側壁24に直立する様子を示す本考案の実施例のケーブルサポート装置12の操作模式図(２)である図５に示すように、使用者が、ケーブルサポート装置12の第二側壁26を軽く押すと、第二側壁26は第一側壁24へと弾性で変形する。これにより、第二側壁26上のフック部22は、嵌合部品16の嵌合部38を離脱する。この時、嵌合部品16を捲りあげることができ、嵌合部品16の係合固定パーツ40は、第一凹口42から脱出して回って移動し、定位パーツ34に係合し、しかも嵌合部品16は直立し一時的に定位される。こうして、使用者はケーブル(図示せず)をケーブルサポート装置12に入れられ、或いは内部から取り出すことができ、さらに嵌合部品16は直立して一時的に定位されるため、ケーブルの出し入れを邪魔せず、スムーズに操作することができる。
【００２３】
特に、図１に示すように、ケーブルサポート装置12を、ケーブルマネージメントフレーム10に多数設置する際には、各ケーブルサポート装置12は、必要に応じて、嵌合部品16直立させ一時的に定位する。これにより、ケーブル(図示せず)を一つ一つ各ケーブルサポート装置12に入れる際に便利である。
【００２４】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００２５】
本考案は実用新案登録要件である新規性を備え、従来の同類製品に比べ十分な進歩性を有し、実用性が高く、社会のニーズに合致しており、産業上の利用価値は非常に大きい。
【符号の説明】
【００２６】
10：ケーブルマネージメントフレーム、12：ケーブルサポート装置、14：受入れ台、16：嵌合部品、18：固定部、20：受入れ部、22：フック部、24：第一側壁、26：第二側壁、28：底壁、30：可動接続ブロック、32：第一可動接続部、34：定位パーツ、36：第二可動接続部、38：嵌合部、40：係合固定パーツ、42：第一凹口、44：第二凹口、46：斜面、48：斜面。
【図１】
0003180813.tif 000003
【図２】
0003180813.tif 000004
【図３】
0003180813.tif 000005
【図４】
0003180813.tif 000006
【図５】
0003180813.tif 000007